(57)【要約】【課題】動画ファイルから取得した複数のフレームについて画像補正の適正化を図る。【解決手段】複合機１が有するコントローラ６０は、対象フレーム決定部、グループ分け部、及び、画像補正部として機能する。対象フレーム決定部は、動画ファイルを構成する複数のフレームから、印刷対象となる複数の対象フレームを決定する。グループ分け部は、複数の対象フレームを、被写体に基づく種類に対応させて複数のグループに分ける。画像補正部は、或るグループに属する前記対象フレームの画像補正を、対応する種類に応じた条件で一律に行い、他のグループに属する前記対象フレームの画像補正を、対応する種類に応じた他の条件で一律に行う。【選択図】図５
2007318649.tif 000002
【特許請求の範囲】
【請求項１】
（Ａ）動画ファイルを構成する複数のフレームから、印刷対象となる複数の対象フレームを決定する対象フレーム決定部と、
（Ｂ）前記複数の対象フレームを、被写体に基づく種類に対応させて複数のグループに分けるグループ分け部と、
（Ｃ）或るグループに属する前記対象フレームの画像補正を、対応する種類に応じた条件で一律に行い、他のグループに属する前記対象フレームの画像補正を、対応する種類に応じた他の条件で一律に行う画像補正部と、
を有する画像補正装置。
【請求項２】
請求項１に記載の画像補正装置であって、
前記グループ分け部は、
前記種類を特定せずに前記複数の対象フレームを前記複数のグループに分け、その後、前記グループ毎に前記種類を特定する、画像補正装置。
【請求項３】
請求項２に記載の画像補正装置であって、
前記グループ分け部は、
互いに前後する前記対象フレーム同士の輝度値を比較することで、前記複数の対象フレームを前記複数のグループに分ける、画像補正装置。
【請求項４】
請求項２又は請求項３に記載の画像補正装置であって、
前記グループ分け部は、
或るグループに属する前記対象フレームの中から代表フレームを定め、前記代表フレームの種類を、前記或るグループの種類とする、画像補正装置。
【請求項５】
請求項１から請求項４の何れかに記載の画像補正装置であって、
前記被写体に基づく種類は、
少なくとも人物の種類を含む、画像補正装置。
【請求項６】
請求項５に記載の画像補正装置であって、
前記画像補正部は、
前記人物の種類に対応するグループに属する、前記対象フレームの画像補正を、人物の顔部分の画像に基づいて定めた条件で一律に行う、画像補正装置。
【請求項７】
請求項１から請求項４の何れかに記載の画像補正装置であって、
前記被写体に基づく種類は、
少なくとも風景の種類を含む、画像補正装置。
【請求項８】
請求項７に記載の画像補正装置であって、
前記画像補正部は、
前記風景の種類に対応するグループに属する、前記対象フレームの画像補正を、前記風景の構成色に基づいて定めた条件で一律に行う、画像補正装置。
【請求項９】
請求項１から請求項８の何れかに記載の画像補正装置であって、
前記対象フレーム決定部は、
或るフレームを指定するための情報、及び、前記或る対象フレームよりも後に記録されている他のフレームを指定するための情報に基づいて、前記複数の対象フレームを決定する、画像補正装置。
【請求項１０】
（Ａ）動画ファイルを構成する複数のフレームから、印刷対象となる複数の対象フレームを決定する対象フレーム決定部であって、
或るフレームを指定するための情報、及び、前記或る対象フレームよりも後に記録されている他のフレームを指定するための情報に基づいて、前記複数の対象フレームを決定する、対象フレーム決定部と、
（Ｂ）前記複数の対象フレームを、被写体に基づく種類であって少なくとも人物の種類及び風景の種類を含む複数の種類に対応させて、複数のグループに分けるグループ分け部であって、
互いに前後する前記対象フレーム同士の輝度値を比較することで、前記種類を特定せずに前記複数の対象フレームを前記複数のグループに分け、その後、或るグループに属する前記対象フレームの中から代表フレームを定め、前記代表フレームの種類を前記或るグループの種類とすることで、前記グループ毎に前記種類を特定する、グループ分け部と、
（Ｃ）或るグループに属する前記対象フレームの画像補正を、対応する種類に応じた条件で一律に行い、他のグループに属する前記対象フレームの画像補正を、対応する種類に応じた他の条件で一律に行う画像補正部であって、
前記人物の種類に対応するグループに属する、前記対象フレームの画像補正を、人物の顔部分の画像に基づいて定めた条件で一律に行い、前記風景の種類に対応するグループに属する、前記対象フレームの画像補正を、前記風景の構成色に基づいて定めた条件で一律に行う、画像補正部と、
を有する画像補正装置。
【請求項１１】
（Ａ）動画ファイルを構成する複数のフレームから、印刷対象となる複数の対象フレームを決定する対象フレーム決定部と、
（Ｂ）前記複数の対象フレームを、被写体に基づく種類に対応させて複数のグループに分けるグループ分け部と、
（Ｃ）或るグループに属する前記対象フレームの画像補正を、対応する種類に応じた条件で一律に行い、他のグループに属する前記対象フレームの画像補正を、対応する種類に応じた他の条件で一律に行う画像補正部と、
（Ｄ）前記画像補正部で画像補正が行われた複数の前記対象フレームを、同じ媒体に印刷する画像印刷部と、
を有する印刷装置。
【請求項１２】
（Ａ）動画ファイルを構成する複数のフレームから、印刷対象となる複数の対象フレームを決定すること、
（Ｂ）前記複数の対象フレームを、被写体に基づく種類に対応させて複数のグループに分けること、
（Ｃ）或るグループに属する前記対象フレームの画像補正を、対応する種類に応じた条件で一律に行い、他のグループに属する前記対象フレームの画像補正を、対応する種類に応じた他の条件で一律に行うこと、
を行う画像補正方法。
【請求項１３】
（Ａ）画像補正装置を動作させるためのプログラムであって、
（Ｂ）動画ファイルを構成する複数のフレームから、印刷対象となる複数の対象フレームを決定すること、
（Ｃ）前記複数の対象フレームを、被写体に基づく種類に対応させて複数のグループに分けること、
（Ｄ）或るグループに属する前記対象フレームの画像補正を、対応する種類に応じた条件で一律に行い、他のグループに属する前記対象フレームの画像補正を、対応する種類に応じた他の条件で一律に行うこと、
を前記画像補正装置に行わせるためのプログラム。
【発明の詳細な説明】
【技術分野】
【０００１】
本発明は、画像補正装置、印刷装置、画像補正方法、及び、プログラムに関する。
【背景技術】
【０００２】
１つの動画ファイルから所定数の連続したフレームを取得し、印刷する装置がある（例えば特許文献１参照）。この装置において、動画ファイルから取得したフレームは静止画として扱われる。このため、画像を補正する場合には、静止画における技術が用いられる。
【特許文献１】特開２００４−１２０６３８号公報
【発明の開示】
【発明が解決しようとする課題】
【０００３】
動画ファイルから取得したフレームの場合、途中でシーンが切り替わることがある。この場合、シーン毎に補正の仕方を揃えた方が好ましい。例えば、人物が主体のフレームでは人物を基準に補正をすることが好ましく、風景が主体のフレームでは風景が鮮やかになるように補正をすることが好ましい。
【０００４】
本発明は、このような事情に鑑みてなされたものであり、その目的は、動画ファイルから取得した複数のフレームについて画像補正の適正化を図ることにある。
【課題を解決するための手段】
【０００５】
前記目的を達成するための主たる発明は、
（Ａ）動画ファイルを構成する複数のフレームから、印刷対象となる複数の対象フレームを決定する対象フレーム決定部と、
（Ｂ）前記複数の対象フレームを、被写体に基づく種類に対応させて複数のグループに分けるグループ分け部と、
（Ｃ）或るグループに属する前記対象フレームの画像補正を、対応する種類に応じた条件で一律に行い、他のグループに属する前記対象フレームの画像補正を、対応する種類に応じた他の条件で一律に行う画像補正部と、
を有する画像補正装置である。
【０００６】
本発明の他の特徴は、本明細書、及び添付図面の記載により、明らかにする。
【発明を実施するための最良の形態】
【０００７】
本明細書の記載、及び添付図面の記載により、少なくとも次のことが明らかにされる。
【０００８】
すなわち、（Ａ）動画ファイルを構成する複数のフレームから、印刷対象となる複数の対象フレームを決定する対象フレーム決定部と、（Ｂ）前記複数の対象フレームを、被写体に基づく種類に対応させて複数のグループに分けるグループ分け部と、（Ｃ）或るグループに属する前記対象フレームの画像補正を、対応する種類に応じた条件で一律に行い、他のグループに属する前記対象フレームの画像補正を、対応する種類に応じた他の条件で一律に行う画像補正部と、を有する画像補正装置が実現できること。  
このような画像補正装置によれば、同じグループに属する対象フレームに対し、一律の条件で画像補正が行われる。すなわち、補正の条件がグループ毎に定められる。このため、そのグループに適した条件で画像補正が行われ、画像補正の適正化が図れる。
【０００９】
かかる画像補正装置であって、前記グループ分け部は、前記種類を特定せずに前記複数の対象フレームを前記複数のグループに分け、その後、前記グループ毎に前記種類を特定する構成が好ましい。  
このような画像補正装置によれば、被写体に基づく種類がグループ毎に特定されるので、処理の効率化が図れる。
【００１０】
かかる画像補正装置であって、前記グループ分け部は、互いに前後する前記対象フレーム同士の輝度値を比較することで、前記複数の対象フレームを前記複数のグループに分ける構成が好ましい。  
このような画像補正装置によれば、輝度値を用いてグループ分けを行うので、処理を簡素化できる。
【００１１】
かかる画像補正装置であって、前記グループ分け部は、或るグループに属する前記対象フレームの中から代表フレームを定め、前記代表フレームの種類を前記或るグループの種類とする構成が好ましい。  
このような画像補正装置によれば、代表フレームに基づいてそのグループの種類が定められるので、処理を簡素化できる。
【００１２】
かかる画像補正装置であって、前記被写体に基づく種類は、少なくとも人物の種類を含む構成が好ましい。  
このような画像補正装置によれば、人物の種類に対応するグループについて、補正の適正化が図れる。
【００１３】
かかる画像補正装置であって、前記画像補正部は、前記人物の種類に対応するグループに属する、前記対象フレームの画像補正を、人物の顔部分の画像に基づいて定めた条件で一律に行う構成が好ましい。  
このような画像補正装置によれば、人物の画像について、補正の適正化が図れる。
【００１４】
かかる画像補正装置であって、前記被写体に基づく種類は、少なくとも風景の種類を含む構成が好ましい。  
このような画像補正装置によれば、風景の種類に対応するグループについて、補正の適正化が図れる。
【００１５】
かかる画像補正装置であって、前記画像補正部は、前記風景の種類に対応するグループに属する、前記対象フレームの画像補正を、前記風景の構成色に基づいて定めた条件で一律に行う構成が好ましい。  
このような画像補正装置によれば、風景の画像について、補正の適正化が図れる。
【００１６】
かかる画像補正装置であって、前記対象フレーム決定部は、或るフレームを指定するための情報、及び、前記或る対象フレームよりも後に記録されている他のフレームを指定するための情報に基づいて、前記複数の対象フレームを決定する構成が好ましい。  
このような画像補正装置によれば、制御が容易である。
【００１７】
また、次の画像補正装置が実現できることも明らかにされる。  
すなわち、（Ａ）動画ファイルを構成する複数のフレームから、印刷対象となる複数の対象フレームを決定する対象フレーム決定部であって、或るフレームを指定するための情報、及び、前記或る対象フレームよりも後に記録されている他のフレームを指定するための情報に基づいて、前記複数の対象フレームを決定する、対象フレーム決定部と、（Ｂ）前記複数の対象フレームを、被写体に基づく種類であって少なくとも人物の種類及び風景の種類を含む複数の種類に対応させて、複数のグループに分けるグループ分け部であって、互いに前後する前記対象フレーム同士の輝度値を比較することで、前記種類を特定せずに前記複数の対象フレームを前記複数のグループに分け、その後、或るグループに属する前記対象フレームの中から代表フレームを定め、前記代表フレームの種類を前記或るグループの種類とすることで、前記グループ毎に前記種類を特定する、グループ分け部と、（Ｃ）或るグループに属する前記対象フレームの画像補正を、対応する種類に応じた条件で一律に行い、他のグループに属する前記対象フレームの画像補正を、対応する種類に応じた他の条件で一律に行う画像補正部であって、前記人物の種類に対応するグループに属する、前記対象フレームの画像補正を、人物の顔部分の画像に基づいて定めた条件で一律に行い、前記風景の種類に対応するグループに属する、前記対象フレームの画像補正を、前記風景の構成色に基づいて定めた条件で一律に行う、画像補正部と、を有する画像補正装置が実現できることも明らかにされる。  
このような画像補正装置によれば、既述のほぼ全ての効果を奏するので、本発明の目的が最も有効に達成される。
【００１８】
また、次の印刷装置が実現できることも明らかにされる。  
すなわち、（Ａ）動画ファイルを構成する複数のフレームから、印刷対象となる複数の対象フレームを決定する対象フレーム決定部と、（Ｂ）前記複数の対象フレームを、被写体に基づく種類に対応させて複数のグループに分けるグループ分け部と、（Ｃ）或るグループに属する前記対象フレームの画像補正を、対応する種類に応じた条件で一律に行い、他のグループに属する前記対象フレームの画像補正を、対応する種類に応じた他の条件で一律に行う画像補正部と、（Ｄ）前記画像補正部で画像補正が行われた複数の前記対象フレームを、同じ媒体に印刷する画像印刷部と、を有する印刷装置が実現できることも明らかにされる。
【００１９】
また、次の画像補正方法が実現できることも明らかにされる。  
すなわち、（Ａ）動画ファイルを構成する複数のフレームから、印刷対象となる複数の対象フレームを決定すること、（Ｂ）前記複数の対象フレームを、被写体に基づく種類に対応させて複数のグループに分けること、（Ｃ）或るグループに属する前記対象フレームの画像補正を、対応する種類に応じた条件で一律に行い、他のグループに属する前記対象フレームの画像補正を、対応する種類に応じた他の条件で一律に行うこと、を行う画像補正方法が実現できることも明らかにされる。
【００２０】
また、次のプログラムが実現できることも明らかにされる。  
すなわち、（Ａ）画像補正装置を動作させるためのプログラムであって、（Ｂ）動画ファイルを構成する複数のフレームから、印刷対象となる複数の対象フレームを決定すること、（Ｃ）前記複数の対象フレームを、被写体に基づく種類に対応させて複数のグループに分けること、（Ｄ）或るグループに属する前記対象フレームの画像補正を、対応する種類に応じた条件で一律に行い、他のグループに属する前記対象フレームの画像補正を、対応する種類に応じた他の条件で一律に行うこと、を前記画像補正装置に行わせるためのプログラムが実現できることも明らかにされる。
【００２１】
＝＝＝第１実施形態＝＝＝
＜画像補正装置について＞
画像補正装置は、種々の態様で実現することができる。例えば、コンピュータに画像補正用のプログラムを実行させることで、このコンピュータを画像補正装置として用いることができる。デジタルカメラや印刷装置はコントローラを有している。そして、このコントローラに画像補正用のプログラムを実行させることで、デジタルカメラや印刷装置を画像補正装置として用いることができる。そこで、本明細書では、プリンタ・スキャナ複合機（以下、単に複合機ともいう。）を例に挙げて説明することにする。この複合機は、画像を媒体に印刷する印刷機能と、媒体に印刷された画像を読み取る読み取り機能とを有する装置である。
【００２２】
＝＝＝複合機１の構成について＝＝＝
図１Ａは、複合機１の外観を説明する斜視図である。図１Ｂは、操作パネル４０を説明する図である。図２は、複合機１の構成を説明するブロック図である。図３は、印刷機構２０を説明する図である。この複合機１は、画像読み取り機構１０、印刷機構２０、駆動信号生成部３０、操作パネル４０、カードスロット５０、及び、コントローラ６０を有する。この複合機１では、コントローラ６０によって制御対象部、すなわち、画像読み取り機構１０、印刷機構２０、及び、駆動信号生成部３０が制御される。
【００２３】
＜画像読み取り機構１０について＞
画像読み取り機構１０は、画像読み取り部に相当するものであり、原稿台１１、原稿台カバー１２、読み取りキャリッジ、及び、読み取りキャリッジの移動機構を有する。なお、読み取りキャリッジ、及び、読み取りキャリッジの移動機構は、図示を省略している。原稿台１１はガラス等の透明な板材で構成されている。原稿台カバー１２は、ヒンジによって開閉できるように構成されている。そして、閉じた状態において、原稿台カバー１２は原稿台１１を上方から覆っている。読み取りキャリッジは、原稿台１１に置かれた原稿の画像濃度を読み取るものである。この読み取りキャリッジは、ＣＣＤイメージセンサ、レンズ、及び、露光ランプ等を有する。読み取りキャリッジの移動機構は、読み取りキャリッジを移動させるものである。この移動機構は、支持レールやタイミングベルト等を有する。この画像読み取り機構１０では、画像の読み取り時において、移動機構が読み取りキャリッジを移動させる。そして、読み取りキャリッジは、画像濃度に応じた電気信号を出力する。
【００２４】
＜印刷機構２０について＞
印刷機構２０は、媒体としての用紙Ｓへ画像を印刷する部分であり、画像印刷部に相当する。この印刷機構２０は、用紙搬送機構２１と、キャリッジＣＲと、キャリッジ移動機構２２とを有する。用紙搬送機構２１は、用紙Ｓを搬送方向へ搬送するためのものであり、用紙Ｓを裏面側から支えるプラテン２１１と、プラテン２１１よりも搬送方向上流側に配置された搬送ローラ２１２と、プラテン２１１よりも搬送方向下流側に配置された排紙ローラ２１３と、搬送ローラ２１２や排紙ローラ２１３の駆動源となる搬送モータ２１４とを有する。キャリッジＣＲは、インクカートリッジＩＣやヘッドユニットＨＵが取り付けられる部材である。キャリッジＣＲに取り付けられた状態で、ヘッドユニットＨＵが有するヘッド（図示せず）は、プラテン２１１に対向している。キャリッジ移動機構２２は、キャリッジＣＲをキャリッジ移動方向へ移動させるためのものである。このキャリッジ移動機構２２は、タイミングベルト２２１と、キャリッジモータ２２２と、ガイド軸２２３とを有している。タイミングベルト２２１は、キャリッジＣＲに接続されるとともに、駆動プーリー２２４とアイドラプーリー２２５との間に架け渡されている。キャリッジモータ２２２は、駆動プーリー２２４を回転させる駆動源である。ガイド軸２２３は、キャリッジＣＲをキャリッジ移動方向へ案内するための部材である。このキャリッジ移動機構２２では、キャリッジモータ２２２を動作させることで、キャリッジＣＲをキャリッジ移動方向へ移動させることができる。
【００２５】
＜駆動信号生成部３０について＞
駆動信号生成部３０は、ヘッドからインクを吐出させる際に用いられる駆動信号ＣＯＭを生成する部分である。この駆動信号生成部３０は、コントローラ６０（ＣＰＵ６２）からの制御信号に基づき、様々な波形の駆動信号ＣＯＭを生成する。
【００２６】
＜操作パネル４０について＞
操作パネル４０は、この複合機１におけるユーザーインタフェースを構成する。この操作パネル４０には、電源ボタン４１、表示部４２、及び、入力部４３が配置されている。電源ボタン４１は複合機１の電源をオンオフする際に操作されるボタンである。表示部４２は、例えば液晶表示パネルによって構成される。この表示部４２には、例えばメニュー画面や印刷対象となる画像（動画ファイルのフレーム）が表示される。入力部４３は、各種のボタンによって構成されている。この例において入力部４３は、４方向ボタン４３１、ＯＫボタン４３２、印刷設定ボタン４３３、戻るボタン４３４、表示切替ボタン４３５、モード切替ボタン４３６、印刷枚数増減ボタン４３７、スタートボタン４３８、及び、ストップボタン４３９によって構成されている。４方向ボタン４３１は、項目を移動させる際等に操作される。ＯＫボタン４３２は、選択項目を確定させる際等に操作される。印刷設定ボタン４３３は、印刷の設定時に操作される。戻るボタン４３４は、表示を前の状態に戻す場合等に操作される。表示切替ボタン４３５は、表示態様を切り替える際等に操作される。例えば、画像のサムネイル表示と拡大表示とを切り替える際等に操作される。モード切替ボタン４３６は、複合機１の動作モードを切り替える際等に操作される。印刷枚数増減ボタン４３７は、印刷枚数を調整する際等に操作される。スタートボタン４３８は、動作を開始させる際等に操作される。例えば、印刷を開始させる際に操作される。ストップボタン４３９は、何らかの動作を中止させる際等に操作される。例えば、印刷を中止させる際に操作される。これらのボタンは、操作に応じた信号を出力するスイッチ（図示せず。）を有する。このスイッチはコントローラ６０と電気的に接続されている。従って、コントローラ６０は、スイッチからの信号に基づいて各ボタンに対する操作を認識し、認識した操作に対応した動作をする。
【００２７】
＜カードスロット５０について＞
カードスロット５０は、メモリカードＭＣ（外部メモリに相当し、かつ、動画ファイルメモリに相当する。）と電気的な接続を行う部分である。このため、カードスロット５０には、メモリカードＭＣと電気的に接続するためのインタフェース回路が設けられている。カードスロット５０に対して着脱されるメモリカードＭＣには、印刷対象となるデータが記憶される。例えば、デジタルカメラによって撮影された動画ファイルや静止画ファイルが記憶される。
【００２８】
＜コントローラ６０について＞
コントローラ６０は、インタフェース部６１と、ＣＰＵ６２と、メモリ６３と、制御ユニット６４とを有する。インタフェース部６１は、外部装置であるコンピュータ（図示せず）との間でデータの受け渡しを行う。また、ケーブルを通じて接続されたデジタルカメラとの間でもデータの受け渡しを行うことができる。ＣＰＵ６２は、複合機１の全体的な制御を行うための演算処理装置である。メモリ６３は、コンピュータプログラムを格納する領域や作業領域等を確保するためのものであり、ＲＡＭ、ＥＥＰＲＯＭ、ＲＯＭ等の記憶素子によって構成される。ＣＰＵ６２は、メモリ６３に記憶されているコンピュータプログラムに従い、各制御対象部を制御する。例えば、制御ユニット６４を通じて画像読み取り機構１０、印刷機構２０、及び、操作パネル４０（表示部４２）を制御する。
【００２９】
＝＝＝複合機１の動作について＝＝＝
＜動作の概略について＞
この複合機１では、画像読み取り機構１０で読み取った画像の電子データをホストコンピュータ（図示せず）へ送信することができる。また、この複合機１では、画像読み取り機構１０で読み取った画像を用紙Ｓへ印刷することや、メモリカードＭＣに記憶された静止画データや動画ファイルを用紙Ｓへ印刷することもできる。このような印刷時には、画像の明るさや色調の補正が行われる。また、動画ファイルを印刷する場合、動画ファイルを構成する複数のフレームのうち１つのフレームを印刷する「１フレーム印刷」と、動画ファイルを構成する一部の複数フレームを印刷する「複数フレーム印刷」とが選択できる。ここで複数フレーム印刷は、例えばユーザーに楽しみを与える目的で行われる。このため、この複数フレーム印刷は「ファンプリント」とも呼ばれる。
【００３０】
ところで、或る動画ファイルの複数フレーム印刷（ファンプリント）を行う場合、印刷対象となる各フレームの被写体（シーン）は、時間範囲の選び方によってまちまちとなる。ここで、各フレームが同じような被写体で構成される場合、各フレームの画像補正を一律の条件で行うことが好ましい。これは、各フレームの被写体について、明るさや色調が揃うからである。反対に、異なる被写体の場合には、各フレームの画像補正を異なる条件で行うことが好ましい。これは、フレーム毎に明るさや色調を最適化して印刷した方が、印刷された画像の品質が高くなるからである。
【００３１】
このような事情に鑑み、コントローラ６０（ＣＰＵ６２）は、複数フレームの印刷時において、次の処理を行う。すなわち、コントローラ６０は、（１）動画ファイルを構成する複数のフレームから、印刷対象となる複数の対象フレームを決定する対象フレーム決定処理、（２）複数の対象フレームを、被写体に基づく種類に対応させて複数のグループに分けるグループ分け処理、（３）或るグループに属する対象フレームの画像補正を、対応する種類に応じた条件で一律に行い、他のグループに属する対象フレームの画像補正を、対応する種類に応じた他の条件で一律に行う画像補正処理を行う。なお、コントローラ６０は、対象フレーム決定処理の実行時に対象フレーム決定部となり、グループ分け処理の実行時にグループ分け部となり、画像補正処理の実行時に画像補正部となる。
【００３２】
このような構成を採ることで、関連性の度合いが高い対象フレームが同じグループに属し、一律の条件で画像補正が行われる。これにより、これらの対象フレームについて色等のばらつきが抑えられる。そして、補正の条件がグループ毎に定められるので、そのグループに適した条件で画像補正が行われる。その結果、画像補正の適正化が図れる。以下、詳細に説明する。
【００３３】
＜動画印刷処理の詳細について＞
以下、複合機１における動画印刷処理の詳細について説明する。図４は、印刷動作時の各処理を説明するフローチャートである。図５は、第２画質調整処理を説明するフローチャートである。図６は、動画ファイルの選択時におけるユーザーインタフェースの一例を説明する図である。なお、これらの処理は、コントローラ６０によって行われる。具体的には、メモリ６３に記憶されているコンピュータプログラムに基づいてＣＰＵ６２が行う。従って、コンピュータプログラムは、各処理をＣＰＵ６２に行わせるためのコードを有する。
【００３４】
動画印刷処理において、コントローラ６０は、まず印刷方法決定処理を行う（Ｓ１）。この印刷方法決定処理は、１フレーム印刷と複数フレーム印刷の何れの印刷方法で印刷するかを決定する処理である。この処理において、コントローラ６０は、項目「１フレーム印刷」と項目「複数フレーム印刷」を含むメニュー画像を表示部４２にて表示させ、入力部４３（モード切替ボタン４３６、４方向ボタン４３１、ＯＫボタン４３２等）からの信号を待つ。そして、コントローラ６０は、入力部４３からの信号に基づいてユーザーによって指定された印刷方法を認識し、その印刷方法を示す情報をメモリ６３へ記憶する。
【００３５】
次に、コントローラ６０は、動画ファイル選択処理を行う（Ｓ２）。この動画ファイル選択処理は、印刷対象となる動画ファイルをユーザーに選択させるための処理である。この処理においてコントローラ６０は、印刷対象となる動画ファイルを認識し、選択を促すためのメニュー画面を表示部４２に表示させる。例えば、図６に示すように、各動画ファイルにおける１番目のフレームをサムネイル表示する。なお、図６では、２つの動画ファイルについて、１番目のフレームが表示された例を示している。その後、コントローラ６０は、入力部４３からの信号を待ち、入力部４３からの信号に基づき、ユーザーによって指定された動画ファイルを認識する。そして、認識した動画ファイルのファイル名や所在を示す情報（例えば、ドライブ名やフォルダ名を示すパス情報）をメモリ６３へ記憶させる。
【００３６】
次に、コントローラ６０は、決定された印刷方法の判断を行う（Ｓ３）。この判断は、次に行われる処理を定めるために行われる。すなわち、決定された印刷方法が１フレーム印刷であった場合、コントローラ６０は、次に行う処理をフレーム決定処理（Ｓ４）と定め、ステップＳ４へ移行する。また、決定された印刷方法が複数フレーム印刷であった場合、コントローラ６０は、次に行う処理を開始終了フレーム決定処理（Ｓ７）と定め、ステップＳ７へ移行する。ここでは、まず、決定された印刷方法が１フレーム印刷である場合について説明する。
【００３７】
フレーム決定処理（Ｓ４）は、１フレーム印刷において印刷対象となるフレーム（対象フレームともいう。）を決定する処理である。この処理において、コントローラ６０は、動画ファイルを構成する複数のフレームの中から、印刷対象となる１つのフレームを決定する。このため、コントローラ６０は、撮影開始からの経過時間、及び、この経過時間に対応するフレームを、表示部４２に表示させ、入力部４３からの入力を待つ。ユーザーは、入力部４３（例えば４方向ボタン４３１）を操作して経過時間を変化させる。そして、所望のフレームが表示されたならば、ユーザーは、ＯＫボタン４３２を操作する等によって印刷するフレームを決定する。この操作に伴い、コントローラ６０は、対応するフレームを対象フレームに決定し、この対象フレームを示す情報をメモリ６３に記憶する。
【００３８】
対象フレームが決定されたならば、第１画質調整処理が行われる（Ｓ５）。この第１画質調整処理は、対象フレームの画質を調整する処理である。すなわち、この処理において、コントローラ６０は、対象フレームの種類を判定し、その種類に適した画像補正を行う。この複合機１では、被写体に基づく３つの種類が用意されている。具体的には、「人物」，「風景」，「標準」からなる３つの種類が用意されている。そして、対象フレームが「人物」と判定された場合には、対象フレームにおける人の顔の部分が肌色の標準色となるように色合いが補正される。また、明度も補正される。対象フレームが「風景」と判定された場合、コントローラ６０は、対象フレームにおける緑色の部分、青色の部分、及び、赤色の部分について、彩度を上げるように補正する。対象フレームが「標準」と判定された場合、コントローラ６０は、対象フレームにおける明るさを上げ、かつ、各色の彩度を上げる補正をする。
【００３９】
対象フレームの画像補正が行われたならば、コントローラ６０は、第１印刷処理を行う（Ｓ６）。この第１印刷処理は、対象フレームが１つの場合における印刷処理である。例えば、画像補正後の対象フレームを所定サイズの用紙Ｓへ印刷する処理が行われる。このとき、コントローラ６０は、印刷機構２０を制御して対象フレームの画像を用紙Ｓへ印刷させる。
【００４０】
次に、決定された印刷方法が複数フレーム印刷の場合について説明する。この場合、コントローラ６０は、ステップＳ７にて開始終了フレーム決定処理を行う。ここで、図７は、開始終了フレーム決定処理におけるユーザーインタフェースの一例を説明する図である。図８は、開始フレームの決定時におけるユーザーインタフェースの一例を説明する図である。図９は、終了フレームの決定時におけるユーザーインタフェースの一例を説明する図である。この開始終了フレーム決定処理は、印刷対象となる動画ファイルについて、印刷対象となる最初の対象フレーム（以下、開始フレームともいう。）と、最後の対象フレーム（以下、終了フレームともいう。）とを指定する処理である。この処理において、コントローラ６０は、対象フレーム決定部として機能する。
【００４１】
まず、コントローラ６０は、選択用画像を表示部４２に表示させる。ここでの選択用画像は、フレーム用の表示領域４２１と、カーソル用の表示領域４２２と、操作内容説明用の表示領域４２３とを有している。フレーム用の表示領域４２１は、任意のフレームについて画像を表示するものである。この複合機１において、フレーム用の表示領域４２１には、まず動画ファイルにおける１番目のフレームが表示される。そして、４方向ボタン４３１における左側部分或いは右側部分が操作されると、表示対象となるフレームが変化する。例えば、右側部分が押されると、表示されているフレームよりも後側のフレームが表示され、左側部分が押されると、表示されているフレームよりも前側のフレームが表示される。
【００４２】
カーソル用の表示領域４２２は、左右方向に移動可能なカーソルＣＳを表示する。このカーソルＣＳは、表示されているフレームの動画ファイルにおける経過時間を示す。例えば、図７の例では、動画ファイルにおける先頭フレームが表示されている。このため、カーソルＣＳは、カーソル用の表示領域４２２における左端に表示されている。そして、図８の例では、全体の４割程度の時間が経過した状態のフレームが表示されている。このため、カーソルＣＳも、表示領域における左端から右側へ向けて、表示範囲の４割程度移動している。同様に、図９の例では、全体の６割程度の時間が経過した状態のフレームが表示されている。このため、カーソルＣＳも、表示領域における左端から右側へ向けて、表示範囲の６割程度移動している。
【００４３】
そして、好みのフレームが表示されている状態でユーザーがＯＫボタン４３２を押すと、その時点でのフレーム（或るフレームに相当する。）が開始フレームに定められる。また、開始フレームが定められた後に、この開始フレームよりも後側の好みのフレームが表示されている状態でユーザーがＯＫボタン４３２を押すと、その時点でのフレーム（他のフレームに相当する。）が終了フレームに定められる。例えば、図８に示す状態でユーザーがＯＫボタン４３２を押し、その後、図９に示す状態でユーザーがＯＫボタン４３２を押すと、開始フレームとして、アドレスをしているゴルファー（人物）のフレームが定められ、終了フレームとして、ショットを終えて歩いているゴルファーのフレームが定められる。そして、開始フレームは最初の対象フレームに相当し、終了フレームは最後の対象フレームに相当する。
【００４４】
開始フレーム及び終了フレームを定めたならば、コントローラ６０は、中間フレーム決定処理を行う（Ｓ８）。ここで、図１０は、対象フレームを説明するための図である。中間フレームは、開始フレームと終了フレームの間に定められるフレームであって、印刷対象となるフレームである。従って、中間フレームは、中間の対象フレームということもできる。そして、コントローラ６０は、この処理を行っている間も対象フレーム決定部として機能しているといえる。また、開始終了フレーム決定処理（Ｓ７）と中間フレーム決定処理（Ｓ８）は、対象フレーム決定処理に相当する。
【００４５】
中間フレーム決定処理において、コントローラ６０は、開始フレームと終了フレームとの間に、互いに前後する対象フレーム同士の時間間隔を揃えて複数の中間フレームを決定する。この複合機１では、複数フレーム印刷が選択された場合に、１２個の対象フレームが１枚の用紙Ｓに印刷される。このため、図１０に符号ＦＲ１で示すフレームが開始フレームとして決定され、符号ＦＲ１２で示すフレームが終了フレームとして決定された場合には、符号ＦＲ２から符号ＦＲ１１で示す各フレームが中間フレームとして決定される。図１０の例において、中間フレームＦＲ２〜ＦＲ１１は、互いに前後する他の対象フレームとの時間間隔が揃うように定められる。この例において各中間フレームＦＲ２〜ＦＲ１１は、他の対象フレームとの間に２つのフレームを挟んでいる。言い換えれば、各対象フレームＦＲ１〜ＦＲ１２は、２つのフレーム毎に定められている。なお、間に挟むフレームの数に関し、図示の都合で２つとしたが、実際の数はこの数に限られない。すなわち、間に挟むフレームの数は、開始フレームから終了フレームまでの時間間隔、対象フレームの数、撮影時におけるフレームレート等の要因によって定められる。
【００４６】
中間フレームが決定されたならば、第２画質調整処理が行われる（Ｓ９）。この第２画質調整処理は、複数の対象フレームについて画質を調整する処理である。なお、この第２画質調整処理については後で詳しく説明する。
【００４７】
第２画質調整処理を行ったならば、コントローラ６０は、第２印刷処理を行う（Ｓ１０）。この第２印刷処理は複数の対象フレームに対する印刷処理であり、画像印刷部として機能する印刷機構２０を制御することで、画像補正後の複数の対象フレーム（開始フレーム，中間フレーム，終了フレーム）を１枚の用紙Ｓへ印刷させる。ここで、図１１は、第２印刷処理における表示部４２の表示画面の一例である。この第２印刷処理では、図１１に示すように、まず、複数の対象フレームが表示部４２に表示される。なお、図１１における上段左端に表示されている対象フレームが開始フレーム（１番目の対象フレームＦＲ１）であり、下段右端に表示されている対象フレームが終了フレーム（１２番目の対象フレームＦＲ１２）である。また、他の対象フレームＦＲ２〜ＦＲ１１は中間フレームである。そして、各対象フレームＦＲ１〜ＦＲ１２は、上段左端から下段右端に向かって時系列で表示されている。すなわち、表示されている１２個の対象フレームのうち、上段に配置されている４つの対象フレームは、１番目の対象フレームＦＲ１から４番目の対象フレームＦＲ４である。そして、撮影された時刻が早い程、左側に表示されている。同様に、中段に配置されている４つの対象フレームは５番目の対象フレームＦＲ５から８番目の対象フレームＦＲ８であり、下段に配置されている４つの対象フレームは９番目の対象フレームＦＲ９から１２番目の対象フレームＦＲ１２である。
【００４８】
そして、ユーザーがＯＫボタン４３２、及び、スタートボタン４３８を順に押すことで、用紙Ｓへの印刷が開始される。すなわち、コントローラ６０は、画像補正が行われた複数の対象フレームＦＲ１〜ＦＲ１２を１枚の用紙Ｓに印刷させる。ここで、図１２は、印刷画像の一例を示す図である。図１２に示すように、用紙Ｓの幅方向（キャリッジ移動方向に対応する。）に３つ、用紙Ｓの長さ方向（搬送方向に対応する。）に４つのフレームが配置され、合計で１２個のフレームが１枚の用紙Ｓに印刷される。なお、用紙Ｓに印刷された各対象フレームＦＲ１〜ＦＲ１２（画像）の並び順は、表示部４２に表示された各対象フレームＦＲ１〜ＦＲ１２と同じである。このため、説明は省略する。
【００４９】
＝＝＝第２画質調整処理について＝＝＝
次に第２画質調整処理について説明する。この第２画質調整処理において、コントローラ６０は、グループ分け部、及び、画像補正部として機能する。すなわち、コントローラ６０は、グループ分け処理〔シーン分別処理（Ｓ１１），代表フレーム決定処理（Ｓ１２），シーン判定処理（Ｓ１４）等〕を行うことで、複数の対象フレームＦＲ１〜ＦＲ１２を、被写体に基づく種類に対応させて複数のグループに分ける。例えば、「人物」の種類に対応するグループ、「風景」の種類に対応するグループ、及び、「標準」の種類に対応するグループに分ける。そして、コントローラ６０は、画像補正処理（Ｓ１８）を行うことで、或るグループに属する対象フレームの画像補正を、対応する種類に応じて条件で行い、他のグループに属する前記対象フレームの画像補正を、対応する種類に応じた他の条件で一律に行う。例えば、或るグループが「人物」の種類の場合、そのグループに属する対象フレームについては、人物に適した条件で画像が補正される。すなわち、人の顔の部分が肌色の標準色となるように画像が補正される。また、或るグループが「風景」の種類の場合、そのグループに属する対象フレームについては、緑色の部分、青色の部分、及び、赤色の部分について、彩度を上げるように補正される。以下、詳細に説明する。
【００５０】
図５に示すように、第２画質調整処理において、コントローラ６０は、シーン分別処理（Ｓ１１）を行い、複数の対象フレームＦＲ１〜ＦＲ１２を複数のグループに分ける。なお、このシーン分別処理で分けられるグループは、被写体に基づく種類が特定されていないグループである。この処理において、コントローラ６０は、各対象フレームＦＲ１〜ＦＲ１２を、その輝度値に基づいてグループ分けする。
【００５１】
ここで、図１３は、グループ分けの処理を模式的に説明する図であり、図１１に示す各対象フレームＦＲ１〜ＦＲ１２のそれぞれについて輝度値を示している。また、図１４は、各対象フレームＦＲ１〜ＦＲ１２の分類内容を説明する図である。図１１に示す１番目の対象フレームＦＲ１から４番目の対象フレームＦＲ４には、ゴルフのスウィングをしているゴルファー（人物）が映されている。５番目の対象フレームＦＲ５及び６番目の対象フレームＦＲ６には、飛行中のゴルフボールが映され、７番目の対象フレームＦＲ７及び８番目の対象フレームＦＲ８には、フェアウェイが映されている。９番目の対象フレームＦＲ９から１２番目の対象フレームＦＲ１２には、スウィングを終えたゴルファーが映されている。このため、各対象フレームＦＲ１〜ＦＲ１２の輝度値に関しては、図１３に示すように、１番目の対象フレームＦＲ１から４番目の対象フレームＦＲ４、及び、９番目の対象フレームＦＲ９から１２番目の対象フレームＦＲ１２が同じような値を示す。また、５番目の対象フレームＦＲ５と６番目の対象フレームＦＲ６が同じような値を示し、７番目の対象フレームＦＲ７及び８番目の対象フレームＦＲ８が同じような値を示す。
【００５２】
コントローラ６０は、互いに前後する対象フレーム同士の輝度値を比較することで、複数の対象フレームＦＲ１〜ＦＲ１２をグループ分けする。まず、コントローラ６０は、１番目の対象フレームＦＲ１の輝度値と２番目の対象フレームＦＲ２の輝度値をそれぞれ取得し、取得した輝度値同士の差を求めて閾値と比較する。この閾値は、閾値情報として、例えばメモリ６３に記憶されている。そして、輝度値同士の差が閾値未満であれば、同じグループに属すると判断する。一方、閾値以上であれば、異なるグループに属すると判断する。図１３の例では、それぞれの輝度値がほぼ同じ値である。このため、コントローラ６０は、１番目の対象フレームＦＲ１と２番目の対象フレームＦＲ２が同じグループに属すると判断する。次に、コントローラ６０は、２番目の対象フレームＦＲ２と３番目の対象フレームＦＲ３について、同様の判断を行う。図１３の例では、２番目の対象フレームＦＲ２の輝度値と３番目の対象フレームＦＲ３の輝度値がほぼ同じである。このため、コントローラ６０は、２番目の対象フレームＦＲ２と３番目の対象フレームＦＲ３も同じグループに属すると判断する。このような処理を１２番目の対象フレームＦＲ１２まで順に行うことで、複数の対象フレームＦＲ１〜ＦＲ１２は、複数のグループに分けられる。図１３の例では、１番目の対象フレームＦＲ１から４番目の対象フレームＦＲ４が同じグループ（便宜上、第１グループともいう。他のグループも同様。）に分類される。そして、５番目の対象フレームＦＲ５と６番目の対象フレームＦＲ６が第２グループに、７番目の対象フレームＦＲ７と８番目の対象フレームＦＲ８が第３グループに、９番目の対象フレームＦＲ９から１２番目の対象フレームＦＲ１２が第４グループに、それぞれ分類される。
【００５３】
複数の対象フレームＦＲ１〜ＦＲ１２のグループ分けをしたならば、コントローラ６０は、代表フレーム決定処理（Ｓ１２）を行う。ここでの代表フレームは、グループの種類を定めるための基となる対象フレームである。この実施形態において、コントローラ６０は、各グループを構成する対象フレームの中央の対象フレームを代表フレームに設定する。なお、中央の対象フレームが２つ考えられる場合には、前側の対象フレームを代表フレームに設定する。例えば、第１グループは４つの対象フレームで構成されている。このため、中央の対象フレームとしては、２番目の対象フレームＦＲ２と３番目の対象フレームＦＲ３が考えられる。そこで、コントローラ６０は、前側の対象フレームである２番目の対象フレームを代表フレームに設定する。他のグループについても同様に代表フレームが設定される。図１４に示すように、第２グループでは５番目の対象フレームＦＲ５が代表フレームに設定される。また、第３グループでは７番目の対象フレームＦＲ７が、第４グループでは１０番目の対象フレームＦＲ１０が、それぞれ代表フレームが設定される。
【００５４】
グループ毎に代表フレームを設定したならば、コントローラ６０は、サンプリング処理（Ｓ１３）を行う。このサンプリング処理は、或る代表フレームについて、輝度や色合い等に関する情報を取得する処理である。この処理において、コントローラ６０は、対象となる代表フレームについて、輝度値、Ｒ（レッド）画素の数や座標、Ｇ（グリーン）画素の数や座標、Ｂ（ブルー）画素の数や座標、及び、エッジの量等の情報を取得する。まず、コントローラ６０は、第１グループの代表フレームである２番目の対象フレームＦＲ２について、情報を取得する。そして、取得した情報を統計値情報としてメモリ６３に記憶する。
【００５５】
統計値情報を格納したならば、コントローラ６０は、シーン判定処理を行う（Ｓ１４）。シーン判定処理は、代表フレームのシーンを判定する処理である。ここでいうシーンは、被写体に基づく種類に相当する。従って、代表フレームのシーン判定処理は、代表フレームの種類判定処理に相当する。前述したように、この種類には「人物」，「風景」，「標準」の３つが用意されている。そして、コントローラ６０は、代表フレームが「人物」，「風景」，「標準」の何れの種類に属するのかを判定する。このとき、コントローラ６０は、まずメモリ６３に記憶された統計値情報を読み出し、その代表フレームが「人物」に分類できるか否かを判断する。この判断は、顔の部分があるか否かで行われる。概略を説明すると次の通りである。まず、コントローラ６０は、その代表フレームについて肌色の部分があるか判断する。肌色の部分があった場合、コントローラ６０は、その部分の中に両目及び口に対応する部分があるか判断する。そして、両目及び口に対応する部分があった場合、肌色と認識できる部分を顔の部分と認識する。さらに、顔の部分における面積が代表フレームにおける面積の０．５％以上あれば、その代表フレームの種類を「人物」と判定する。そして、「人物」とは判定されなかった場合に、コントローラ６０は、その代表フレームが「風景」に分類できるか判断する。この判断は、例えば、ヒストグラムを用いて行われる。この場合、コントローラ６０は、輝度値、Ｒ画素数、Ｇ画素数、Ｂ画素数、エッジの量等の各項目について度数を求め、ヒストグラムを得る。そして、得られたヒストグラムの形状から代表フレームの種類を判定する。例えば、風景に多く出現する、緑、青、赤の比率が高ければ、風景を示すヒストグラムとのマッチングが高くなる。このため、コントローラ６０は、その代表フレームを「風景」と判定する。さらに、コントローラ６０は、「人物」，「風景」の何れにも判定されなかった代表フレームを「標準」と判定する。そして、この判定結果は、シーン情報としてメモリ６３に記憶される。
【００５６】
代表フレームの種類判定（シーン判定）を行ったならば、コントローラ６０は、補正量算出処理（Ｓ１５）を行う。このとき、コントローラ６０は補正量算出部として機能する。この処理で算出される補正量は、サンプリング処理（Ｓ１３）で得られた代表フレームの色と好ましい色（標準色）との差分ともいえる。従って、補正量算出処理は、代表フレームの色と標準色との差分を、複数の補正項目のそれぞれについて算出する処理といえる。この複合機１で用いられる補正項目としては、例えば、「明るさ」，「コントラスト」，「彩度」，「カラーバランス」，「シャープネス」がある。なお、補正項目は一例であり、他の項目も定められている。ここで、代表フレームが「人物」と判定された場合には、その代表フレームにおける人の顔の部分が、肌色の標準色となるように補正量が算出される。代表フレームが「風景」と判定された場合、その代表フレームにおける緑色の部分、青色の部分、及び、赤色の部分について、彩度を上げるように補正値が算出される。代表フレームが「標準」と判定された場合、その代表フレームが多少明るくなり、かつ、各色の彩度が多少高くなるように補正量が算出される。そして、コントローラ６０は、算出した補正量をメモリ６３に記憶する。
【００５７】
代表フレームに基づく補正量が算出されたならば、コントローラ６０は、他のグループについて未処理の代表フレームがあるか否かを判断する（Ｓ１６）。そして、未処理の代表フレームがあれば、その代表フレームについてサンプリング処理（Ｓ１３）以下の各処理を繰り返し行う。例えば、第１グループの代表フレーム（２番目の対象フレームＦＲ２）について補正量を算出した場合、コントローラ６０は、第２グループの代表フレーム（５番目の対象フレームＦＲ５）について、サンプリング処理（Ｓ１３）以下の各処理を行う。また、第４グループの代表フレーム（１０番目の対象フレームＦＲ１０）について補正量を算出した場合には、未処理の代表フレームはない。この場合、コントローラ６０は、補正量選択処理（Ｓ１７）を行う。そして、サンプリング処理（Ｓ１３）から補正量算出処理（Ｓ１５）までの一連の処理により、シーン情報（被写体に基づく種類の情報）と対応する補正量とがグループ毎に定められ、メモリ６３に記憶される。図１４に示す例において、第１グループ及び第４グループについては、スウィングをしているゴルファーが映されているので、人物の種類と判定されている。第２グループについては、飛行中のボールが映されているので、標準の種類と判定されている。第３グループについては、フェアウェイが映されているので、風景の種類と判定されている。
【００５８】
補正量選択処理（Ｓ１７）は、補正をする対象フレームに適した補正量を選択する処理である。ここで、補正量は、画像補正処理を行うための条件に相当する。例えば、人物の種類に属する代表フレーム（２番目の対象フレームＦＲ２）に基づいて定めた補正量を「或る条件」とした場合、風景の種類に属する代表フレーム（７番目の対象フレームＦＲ７）に基づいて定めた補正量や標準の種類に属する代表フレーム（５番目の対象フレームＦＲ５）に基づいて定めた補正量は「他の条件」に相当する。このため、補正量選択処理は、補正条件選択処理に相当する。そして、この補正量選択処理の実行中において、コントローラ６０は、補正条件選択部として機能しているといえる。この補正量選択処理において、コントローラ６０は、画像補正をする対象フレームの種類を取得し、対応する補正量を取得する。例えば、画像補正をする対象フレームが１番目の対象フレームＦＲ１である場合、コントローラ６０は、属するグループ（第１グループ）の情報に基づいて人物に対応する補正量を選択する。また、画像補正をする対象フレームが５番目の対象フレームＦＲ５である場合、コントローラ６０は、属するグループ（第２グループ）の情報に基づいて標準に対応する補正量を選択する。
【００５９】
画像補正処理（Ｓ１８）は、或る対象フレームについて画像補正を行う処理である。この処理において、コントローラ６０は画像補正部として機能し、選択された補正量を用いて対応する対象フレームの画像補正を行う。この実施形態では、最初に１番目の対象フレームＦＲ１（開始フレーム）についての画像補正が行われる。この場合、コントローラ６０は、人物に対応する補正量を用いて画像補正を行う。対象フレームに対する画像補正が終了したならば、コントローラ６０は、画像補正が行われていない未処理の対象フレームの有無を判断する（Ｓ１９）。例えば、１番目の対象フレームＦＲ１について画像補正が終了した場合、未処理の対象フレームがあると判断される。そして、未処理の対象フレームである２番目の対象フレームＦＲ２から１２番目の対象フレームＦＲ１２のうち、最も番号の若い２番目の対象フレームＦＲ２について、補正量選択処理（Ｓ１７）及び画像補正処理（Ｓ１８）が行われる。以後は同様であり、１２番目の対象フレームＦＲ１２（終了フレーム）に対する画像補正処理が終了すると、コントローラ６０は、第２画像調整処理（Ｓ９）を終了する。
【００６０】
第２画像調整処理が終了すると、前述したように、コントローラ６０は第２印刷処理（Ｓ１０）を行う。これにより、例えば図１２に示す画像が用紙Ｓに印刷される。ここで、この複合機１では、同じグループに属する対象フレームは、一律の条件で画像補正が行われる。例えば、１番目の対象フレームＦＲ１から４番目の対象フレームＦＲ４については、人物に対応付けられた第１グループに属する。このため、第１グループの代表フレーム（２番目の対象フレーム）で求められた、人物に対応する補正量で一律に補正される。また、５番目の対象フレームＦＲ５及び６番目の対象フレームＦＲ６については、標準に対応付けられた第２グループに属する。このため、第２グループの代表フレーム（５番目の対象フレーム）で求められた、標準に対応する補正量で一律に補正される。同様に、７番目の対象フレームＦＲ７及び８番目の対象フレームＦＲ８については風景に対応する補正量で一律に補正され、９番目の対象フレームＦＲ９及び１２番目の対象フレームＦＲ１２については人物に対応する補正量で一律に補正される。従って、関連性の高いグループに属する対象フレーム同士の色調が揃い易くなる。すなわち、補正を適正化できる。例えば、人物の種類のグループに属する対象フレームについては、人物の顔部分の画像に基づいて定めた補正量（条件）で一律に画像補正が行われる。また、風景の種類のグループに属する対象フレームについては、風景の構成色（例えば、緑色、青色、赤色）を基準として定めた補正量（条件）で一律に画像補正が行われる。これにより、人物の種類の対象フレームは顔が標準色となるように補正され、風景の種類の対象フレームは緑色の部分、青色の部分、及び、赤色の部分について、彩度が上がるように補正される。これにより、そのグループに適した内容の補正が選択され、かつ、同じグループに属する対象フレームについて均一な補正がなされる。つまり、色のムラが抑制される。その結果、図１２のように各フレームの画像を１枚の用紙Ｓに配置した場合において、印刷の品質を高めることができる。
【００６１】
＜まとめ＞
以上説明したように、「複数フレーム印刷」が選択された場合、コントローラ６０は、複数の対象フレームＦＲ１〜ＦＲ１２を、被写体に基づく種類に対応させてグループ分けする。そして、コントローラ６０は、グループ毎に補正量を求め、或るグループに属する対象フレームの画像補正を、対応する種類に応じた条件で一律に行い、他のグループに属する対象フレームの画像補正を、対応する種類に応じた他の条件で一律に行っている。例えば、人物の種類と判定された第１グループの各対象フレームＦＲ１〜ＦＲ４については、２番目の対象フレームに基づいて定めた補正量を用いて、一律に画像補正を行っている。また、風景の種類と判定された第３グループについては、７番目の対象フレームＦＲ７に基づいて定めた補正量を用いて、一律に画像補正を行っている。このため、画像補正の適正化が図れる。
【００６２】
また、複数の対象フレームＦＲ１〜ＦＲ１２を被写体に基づく種類に対応させて複数のグループに分ける際に、コントローラ６０は、まず種類を特定しないでグループに分け、その後、グループ毎に種類を判定するようにしている。具体的には、特定の対象フレーム（代表フレームとしての第２対象フレーム，第５対象フレームＦＲ５，第７対象フレームＦＲ７，第１０対象フレームＦＲ１０）について、種類を判定している。これにより、種類判定に要する時間を短縮化でき、処理の高速化が図れる。また、複数のグループに分ける際に、対象フレーム毎の輝度値を用いている。すなわち、互いに前後する対象フレーム同士の輝度値を比較することで、これらの対象フレームが同じグループに属するか否かを判定している。このため、処理が簡素化でき、高速化に適する。
【００６３】
＝＝＝その他の実施形態＝＝＝
前述した実施形態は、複合機１による画像補正装置について説明されているが、その説明の中には、画像補正方法や、画像補正装置を制御するためのコンピュータプログラム及びコードの説明も含まれている。また、この実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれる。
【００６４】
＜画像補正装置について＞
前述した実施形態では、複合機１を画像補正装置として用いた構成が記載されている。しかし、画像補正装置は、複合機１に限定されるものではない。例えば、専ら印刷を行うプリンタを画像補正装置として用いてもよい。この場合、プリンタに、画像補正用のプログラムを実行させることで、画像補正装置として用いる。また、画像補正用のプログラムを実行するコンピュータによって画像補正装置を構成してもよい。さらに、デジタルカメラを画像補正装置として用いてもよい。
【００６５】
＜代表フレームについて＞
各グループを代表する代表フレームは、そのグループにおける中央の対象フレームに限定されるものではない。例えば、そのグループにおける最初の対象フレームであってもよいし、最後の対象フレームであってもよい。
【００６６】
＜対象フレームの種類について＞
前述した実施形態では、対象フレームの種類として「人物」，「風景」，「標準」の３つを例に挙げて説明した。対象フレームの種類はこれらに限定されるものではなく、他の種類であってもよい。
【００６７】
＜印刷の態様について＞
前述した実施形態では、複数の対象フレームを同じ用紙Ｓに印刷する態様について説明したが、印刷の態様はこれに限定されない。例えば、複数の対象フレームを別の用紙Ｓに印刷する態様であってもよい。
【００６８】
＜メモリカードＭＣについて＞
前述した実施形態では、カードスロット５０にメモリカードＭＣを装着する構成であったが、この構成に限定されない。例えば、デジタルカメラと複合機１とをケーブルを介して接続し、デジタルカメラに装着されたメモリカードＭＣへ、ケーブルを通じてアクセスするようにしてもよい。
【図面の簡単な説明】
【００６９】
【図１】図１Ａは、複合機の外観を説明する斜視図である。図１Ｂは、操作パネルを説明する図である。
【図２】複合機の構成を説明するブロック図である。
【図３】印刷機構を説明する図である。
【図４】印刷動作時の各処理を説明するフローチャートである。
【図５】第２画質調整処理を説明するフローチャートである。
【図６】動画ファイルの選択時におけるユーザーインタフェースの一例を説明する図である。
【図７】開始終了フレーム決定処理におけるユーザーインタフェースの一例を説明する図である。
【図８】開始フレームの決定時におけるユーザーインタフェースの一例を説明する図である。
【図９】終了フレームの決定時におけるユーザーインタフェースの一例を説明する図である。
【図１０】対象フレームを説明するための図である。
【図１１】第２印刷処理における表示部の表示画面の一例である。
【図１２】印刷画像の一例を示す図である。
【図１３】グループ分けの処理を模式的に説明する図である。
【図１４】各対象フレームの分類内容を説明する図である。
【符号の説明】
【００７０】
１  複合機，
１０  画像読み取り機構，１１  原稿台，１２  原稿台カバー，
２０  印刷機構，２１  用紙搬送機構，２１１  プラテン，２１２  搬送ローラ，
２１３  排紙ローラ，２１４  搬送モータ，２２  キャリッジ移動機構，
２２１  タイミングベルト，２２２  キャリッジモータ，２２３  ガイド軸，
２２４  駆動プーリー，２２５  アイドラプーリー，
３０  駆動信号生成部，
４０  操作パネル，４１  電源ボタン，
４２  表示部，４２１  フレーム用の表示領域，
４２２  カーソル用の表示領域，４２３  操作内容説明用の表示領域，
４３  入力部，４３１  ４方向ボタン，４３２  ＯＫボタン，
４３３  印刷設定ボタン，４３４  戻るボタン，４３５  表示切替ボタン，
４３６  モード切替ボタン，４３７  印刷枚数増減ボタン，
４３８  スタートボタン，４３９  ストップボタン，
５０  カードスロット，
６０  コントローラ，６１  インタフェース部，６２  ＣＰＵ，
６３  メモリ，６４  制御ユニット，
Ｓ  用紙，ＣＲ  キャリッジ，ＩＣ  インクカートリッジ，
ＨＵ  ヘッドユニット，ＭＣ  メモリカード，ＣＳ  カーソル，
ＦＲ１〜ＦＲ１２  対象フレーム
【図１】
2007318649.tif 000003
【図２】
2007318649.tif 000004
【図３】
2007318649.tif 000005
【図４】
2007318649.tif 000006
【図５】
2007318649.tif 000007
【図６】
2007318649.tif 000008
【図７】
2007318649.tif 000009
【図８】
2007318649.tif 000010
【図９】
2007318649.tif 000011
【図１０】
2007318649.tif 000012
【図１１】
2007318649.tif 000013
【図１２】
2007318649.tif 000014
【図１３】
2007318649.tif 000015
【図１４】
2007318649.tif 000016